(57)【要約】【課題】  商品等を選択するようなＷｅｂサイトで、Ｗｅｂサイトの商品に対する評価を行った結果を多数表示させる場合において、その商品評価に対する信頼度に応じた表示を行うための表示画面を自動生成するコンテンツ表示システムを提供する。【解決手段】  商品購入経験者は、端末装置１０−１の表示画面上のオブジェクトコンテンツ入力箇所に商品評価点等を入力する。端末装置１０−１は、商品評価点等をＷｅｂサーバ２０へ送信する。Ｗｅｂサーバ２０のＯＢＪ配置位置決定部２２は、商品評価点等を入力し、ＯＢＪ評価ＤＢ５１から商品評価値を入力し、商品評価値に基づいてそのオブジェクトについて表示画面上の配置位置を決定し、ＯＢＪコンテンツファイル５３の内容を変更する。【選択図】  図２
2005339253.tif 000002
【特許請求の範囲】
【請求項１】
オブジェクトの画像、表示画面上の配置位置、及び選択時の動作を含む情報が商品毎に定義されたオブジェクトコンテンツファイルと、サブオブジェクトの画像、コメント、及び表示画面上の配置位置を含む情報が前記オブジェクトに関連して定義されたサブオブジェクトコンテンツファイルとを備えたサーバ、及び、前記オブジェクトコンテンツファイルからオブジェクトを読み出して画面に表示し、操作者により一つのオブジェクトが選択されると、当該オブジェクトに関連するサブオブジェクトを前記サブオブジェクトコンテンツファイルから読み出して画面に表示する端末装置がネットワークを介して接続され、前記ファイルに商品に関する情報を蓄積し、操作者の要求に従って情報を提供するためのコンテンツ表示システムであって、
端末装置は、操作者により入力されたオブジェクトの商品に関するサブオブジェクト情報を入力処理する第１の機能を備え、
サーバは、前記サブオブジェクト情報に基づいて、サブオブジェクトコンテンツファイルを更新する第２の機能を備え、
端末装置が、前記更新されたサブオブジェクトコンテンツファイルからサブオブジェクトを読み出して画面に表示することを特徴とするコンテンツ表示システム。
【請求項２】
オブジェクトの画像、表示画面上の配置位置、及び選択時の動作を含む情報が商品毎に定義されたオブジェクトコンテンツファイルと、サブオブジェクトの画像、コメント、及び表示画面上の配置位置を含む情報が前記オブジェクトに関連して定義されたサブオブジェクトコンテンツファイルとを備えたサーバ、及び、前記オブジェクトコンテンツファイルからオブジェクトを読み出して画面に表示し、操作者により一つのオブジェクトが選択されると、当該オブジェクトに関連するサブオブジェクトを前記サブオブジェクトコンテンツファイルから読み出して画面に表示する端末装置がネットワークを介して接続され、前記ファイルに商品に関する情報を蓄積し、操作者の要求に従って情報を提供するためのコンテンツ表示システムであって、
端末装置は、操作者により入力されたオブジェクトの商品に関する評価情報を入力処理する第３の機能を備え、
サーバは、前記評価情報に基づいて表示画面におけるオブジェクトの配置位置を決定する第４の機能と、前記決定された配置位置に書き換えるようにオブジェクトコンテンツファイルを更新する第５の機能とを備え、
端末装置が、前記更新されたオブジェクトコンテンツファイルからオブジェクトを読み出して画面に表示することを特徴とするコンテンツ表示システム。
【請求項３】
オブジェクトの画像、表示画面上の配置位置、及び選択時の動作を含む情報が商品毎に定義されたオブジェクトコンテンツファイルと、サブオブジェクトの画像、コメント、及び表示画面上の配置位置を含む情報が前記オブジェクトに関連して定義されたサブオブジェクトコンテンツファイルとを備えたサーバ、及び、前記オブジェクトコンテンツファイルからオブジェクトを読み出して画面に表示し、操作者により一つのオブジェクトが選択されると、当該オブジェクトに関連するサブオブジェクトを前記サブオブジェクトコンテンツファイルから読み出して画面に表示する端末装置がネットワークを介して接続され、前記ファイルに商品に関する情報を蓄積し、操作者の要求に従って情報を提供するためのコンテンツ表示システムであって、
端末装置は、操作者により入力されたサブオブジェクトに関する評価情報を入力処理する第６の機能を備え、
サーバは、前記評価情報に基づいて表示画面におけるサブオブジェクトの配置位置を決定する第７の機能と、前記決定された配置位置に書き換えるようにサブオブジェクトコンテンツファイルを更新する第８の機能とを備え、
端末装置が、前記更新されたサブオブジェクトコンテンツファイルからサブオブジェクトを読み出して画面に表示することを特徴とするコンテンツ表示システム。
【請求項４】
オブジェクトの画像、表示画面上の配置位置、及び選択時の動作を含む情報が商品毎に定義されたオブジェクトコンテンツファイルと、サブオブジェクトの画像、コメント、及び表示画面上の配置位置を含む情報が前記オブジェクトに関連して定義されたサブオブジェクトコンテンツファイルとを備えたサーバ、及び、前記オブジェクトコンテンツファイルからオブジェクトを読み出して画面に表示し、操作者により一つのオブジェクトが選択されると、当該オブジェクトに関連するサブオブジェクトを前記サブオブジェクトコンテンツファイルから読み出して画面に表示する端末装置がネットワークを介して接続され、前記ファイルに商品に関する情報を蓄積し、操作者の要求に従って情報を提供するためのコンテンツ表示システムであって、
端末装置は、前記第１、３及び６の機能を備え、サーバは、前記第２、４、５、７及び８の機能を備え、端末装置が、前記更新されたオブジェクトコンテンツファイルからオブジェクトを読み出し、及びサブオブジェクトコンテンツファイルからサブオブジェクトを読み出して画面に表示することを特徴とするコンテンツ表示システム。
【請求項５】
請求項１から４までのいずれか一項に記載のコンテンツ表示システムにおいて、
前記端末装置は、前記オブジェクトコンテンツファイルからオブジェクトを読み出して画面に表示し、複数のオブジェクトのうちの一つのオブジェクトが操作者により選択されると、当該オブジェクトを強調表示すると共に、当該オブジェクトに関連するサブオブジェクト及びボタンオブジェクトを画面に表示し、複数のサブオブジェクトのうちの一つのサブオブジェクトが操作者により選択されると、当該サブオブジェクトを強調表示すると共に、サブオブジェクトに関するコメントが表されたサブオブジェクトコンテンツを表示し、前記ボタンオブジェクトが押下されると、オブジェクトに関するコメントが表されたオブジェクトコンテンツを表示する機能を備えたことを特徴とするコンテンツ表示システム。
【請求項６】
請求項１から４までのいずれか一項に記載のコンテンツ表示システムにおいて、
前記端末装置は、前記オブジェクトコンテンツファイルからオブジェクトを読み出して画面に表示し、複数のオブジェクトのうちの一つのオブジェクトが操作者により選択されると、当該オブジェクトを強調表示すると共に、当該オブジェクトに関連するサブオブジェクト及びボタンオブジェクトを画面に表示し、複数のサブオブジェクトのうちの一つのサブオブジェクトが操作者により選択されると、当該サブオブジェクトを強調表示すると共に、ボタンサブオブジェクトを表示し、当該ボタンサブオブジェクトが押下されると、サブオブジェクトに関するコメントが表されたサブオブジェクトコンテンツを表示する機能を備えたことを特徴とするコンテンツ表示システム。
【請求項７】
請求項４に記載のコンテンツ表示システムにおいて、
前記サーバは、端末装置の操作者の認証を行う機能を備え、当該機能により操作者を認証した場合に、端末装置が、オブジェクトコンテンツファイルからオブジェクトを読み出し、及びサブオブジェクトコンテンツファイルからサブオブジェクトを読み出して画面に表示することを特徴とするコンテンツ表示システム。
【請求項８】
請求項７に記載のコンテンツ表示システムにおいて、
前記サーバは、認証機能により操作者を認証した場合に、当該操作者が入力した情報の内容に応じて点数を計算し、操作者毎に点数を集計して保持する機能を備えたことを特徴とするコンテンツ表示システム。
【請求項９】
請求項７に記載のコンテンツ表示システムにおいて、
前記端末装置は、操作者自らが入力した情報の表示要求を入力処理する機能と、前記表示要求に対する情報を画面に表示する機能とを備え、
前記サーバは、端末装置から表示要求を受信し、認証機能により操作者を認証した場合に、当該操作者の入力操作により書き換えられた情報を前記オブジェクトコンテンツファイル及びサブオブジェクトコンテンツファイルから抽出し、表示要求に対する情報として端末装置へ送信する機能を備えたことを特徴とするコンテンツ表示システム。
【請求項１０】
請求項７に記載のコンテンツ表示システムにおいて、
前記サーバに接続される第２の端末装置を備え、
当該第２の端末装置は、操作者により商品に関する管理情報の表示要求を入力処理する機能と、前記商品に関する管理情報を画面に表示する機能とを備え、前記サーバは、端末装置に備えた第２の機能により操作者が入力したオブジェクトの評価情報をオブジェクト評価ファイルに格納する機能と、端末装置に備えた第３の機能により操作者が入力したサブオブジェクトの評価情報をサブオブジェクト評価ファイルに格納する機能と、端末装置から表示要求を受信し、前記オブジェクトコンテンツファイル、サブオブジェクトコンテンツファイル、オブジェクト評価ファイル及びサブオブジェクト評価ファイルから情報を読み出し、表示要求に対する情報として第２の端末装置へ送信する機能とを備えたことを特徴とするコンテンツ表示システム。
【発明の詳細な説明】
【技術分野】
【０００１】
本発明は、商品を購入するための商品選択を行うＷｅｂサイト等において、商品購入経験者等の意見が自動的に反映され、かつ第三者の意見の信頼性に基づいた商品選択表示画面を自動構成する技術に関する。
【背景技術】
【０００２】
従来、商品を売買するために、商品の出展者（商品提供者）が商品の情報を掲載し、商品の購入者がその情報に基づいて商品を購入するＷｅｂサイトが存在する。例えば、オークションを行うＷｅｂサイトにおいては、商品の出展者や商品に対する評価を行うことはあるが、その評価者に対する評価を行うことはない。また、第三者がその評価結果を閲覧するためには、商品情報が表示された画面から評価結果が表示された画面に切り替えるか、または画面をスクロールする必要がある。一方、旅行情報を番組の視聴者へ提供するシステムが開示されている（例えば、特許文献１を参照。）。このシステムのＷｅｂサイトは、既に旅行した者または第三者が旅行情報に対する評価を行う機能を備えていない。また、商品に付随する口コミ情報等を付加する機能も備えていない。
【０００３】
【特許文献１】特開２００３−１０８８６６号公報
【発明の開示】
【発明が解決しようとする課題】
【０００４】
そこで、本発明は、増え続けるインターネット上のショッピングサイト等において、購入する商品や、商品提供者の信頼性の評価指標を確立可能なコンテンツ表示システムを提供することを目的とする。また、本発明は、インターネット上で商品購入経験者に評価指標を委ねることにより、第三者に対するリスクを回避し、商品提供者、商品購入経験者及び第三者に対してインセンティブを付与するコンテンツ表示システムを提供することを目的とする。さらに、選択した商品とその商品の評価との対応付けが表示画面上で即座に理解可能な表示画面を自動的に構成するコンテンツ表示システムを提供することを目的とする。
【課題を解決するための手段】
【０００５】
本発明のコンテンツ表示システムは、オブジェクトの画像、表示画面上の配置位置、及び選択時の動作を含む情報が商品毎に定義されたオブジェクトコンテンツファイルと、サブオブジェクトの画像、コメント、及び表示画面上の配置位置を含む情報が前記オブジェクトに関連して定義されたサブオブジェクトコンテンツファイルとを備えたサーバ、及び、前記オブジェクトコンテンツファイルからオブジェクトを読み出して画面に表示し、操作者により一つのオブジェクトが選択されると、当該オブジェクトに関連するサブオブジェクトを前記サブオブジェクトコンテンツファイルから読み出して画面に表示する端末装置がネットワークを介して接続され、前記ファイルに商品に関する情報を蓄積し、操作者の要求に従って情報を提供するためのコンテンツ表示システムであって、端末装置は、操作者により入力されたオブジェクトの商品に関するサブオブジェクト情報を入力処理する第１の機能を備え、サーバは、前記サブオブジェクト情報に基づいて、サブオブジェクトコンテンツファイルを更新する第２の機能を備え、端末装置が、前記更新されたサブオブジェクトコンテンツファイルからサブオブジェクトを読み出して画面に表示することを特徴とする。
【０００６】
また、本発明のコンテンツ表示システムは、端末装置が、操作者により入力されたオブジェクトの商品に関する評価情報を入力処理する第３の機能を備え、サーバが、前記評価情報に基づいて表示画面におけるオブジェクトの配置位置を決定する第４の機能と、前記決定された配置位置に書き換えるようにオブジェクトコンテンツファイルを更新する第５の機能とを備え、端末装置が、前記更新されたオブジェクトコンテンツファイルからオブジェクトを読み出して画面に表示することを特徴とする。また、端末装置が、操作者により入力されたサブオブジェクトに関する評価情報を入力処理する第６の機能を備え、サーバが、前記評価情報に基づいて表示画面におけるサブオブジェクトの配置位置を決定する第７の機能と、前記決定された配置位置に書き換えるようにサブオブジェクトコンテンツファイルを更新する第８の機能とを備え、端末装置が、前記更新されたサブオブジェクトコンテンツファイルからサブオブジェクトを読み出して画面に表示することを特徴とする。また、端末装置が、前記第１、３及び６の機能を備え、サーバが、前記第２、４、５、７及び８の機能を備え、端末装置が、前記更新されたオブジェクトコンテンツファイルからオブジェクトを読み出し、及びサブオブジェクトコンテンツファイルからサブオブジェクトを読み出して画面に表示することを特徴とする。
【０００７】
また、本発明のコンテンツ表示システムは、前記端末装置が、前記オブジェクトコンテンツファイルからオブジェクトを読み出して画面に表示し、複数のオブジェクトのうちの一つのオブジェクトが操作者により選択されると、当該オブジェクトを強調表示すると共に、当該オブジェクトに関連するサブオブジェクト及びボタンオブジェクトを画面に表示し、複数のサブオブジェクトのうちの一つのサブオブジェクトが操作者により選択されると、当該サブオブジェクトを強調表示すると共に、サブオブジェクトに関するコメントが表されたサブオブジェクトコンテンツを表示し、前記ボタンオブジェクトが押下されると、オブジェクトに関するコメントが表されたオブジェクトコンテンツを表示する機能を備えたことを特徴とする。また、前記端末装置が、前記オブジェクトコンテンツファイルからオブジェクトを読み出して画面に表示し、複数のオブジェクトのうちの一つのオブジェクトが操作者により選択されると、当該オブジェクトを強調表示すると共に、当該オブジェクトに関連するサブオブジェクト及びボタンオブジェクトを画面に表示し、複数のサブオブジェクトのうちの一つのサブオブジェクトが操作者により選択されると、当該サブオブジェクトを強調表示すると共に、ボタンサブオブジェクトを表示し、当該ボタンサブオブジェクトが押下されると、サブオブジェクトに関するコメントが表されたサブオブジェクトコンテンツを表示する機能を備えたことを特徴とする。
【０００８】
また、本発明のコンテンツ表示システムは、前記サーバが、端末装置の操作者の認証を行う機能を備え、当該機能により操作者を認証した場合に、端末装置が、オブジェクトコンテンツファイルからオブジェクトを読み出し、及びサブオブジェクトコンテンツファイルからサブオブジェクトを読み出して画面に表示することを特徴とする。
【０００９】
また、本発明のコンテンツ表示システムは、前記サーバが、認証機能により操作者を認証した場合に、当該操作者が入力した情報の内容に応じて点数を計算し、操作者毎に点数を集計して保持する機能を備えたことを特徴とする。
【００１０】
また、本発明のコンテンツ表示システムは、前記端末装置が、操作者自らが入力した情報の表示要求を入力処理する機能と、前記表示要求に対する情報を画面に表示する機能とを備え、前記サーバが、端末装置から表示要求を受信し、認証機能により操作者を認証した場合に、当該操作者の入力操作により書き換えられた情報を前記オブジェクトコンテンツファイル及びサブオブジェクトコンテンツファイルから抽出し、表示要求に対する情報として端末装置へ送信する機能を備えたことを特徴とする。
【００１１】
また、本発明のコンテンツ表示システムは、前記サーバに接続される第２の端末装置を備え、当該第２の端末装置が、操作者により商品に関する管理情報の表示要求を入力処理する機能と、前記商品に関する管理情報を画面に表示する機能とを備え、前記サーバが、端末装置に備えた第２の機能により操作者が入力したオブジェクトの評価情報をオブジェクト評価ファイルに格納する機能と、端末装置に備えた第３の機能により操作者が入力したサブオブジェクトの評価情報をサブオブジェクト評価ファイルに格納する機能と、端末装置から表示要求を受信し、前記オブジェクトコンテンツファイル、サブオブジェクトコンテンツファイル、オブジェクト評価ファイル及びサブオブジェクト評価ファイルから情報を読み出し、表示要求に対する情報として第２の端末装置へ送信する機能とを備えたことを特徴とする。
【発明の効果】
【００１２】
本発明によれば、商品購入経験者等がオブジェクトの商品に関するサブオブジェクト情報、オブジェクトの商品に関する評価情報またはサブオブジェクトに関する評価情報を入力することにより、商品や商品を提供する提供者に対する信頼性の評価指標を確立することができる。また、商品購入経験者等に評価指標を委ねることにより、第三者に対するリスクを回避し、商品提供者、商品購入経験者及び第三者に対してインセンティブを付与することができる。また、選択した商品とその商品の評価との対応付けを表示画面上で即座に理解可能な表示画面を自動的に構成することができる。
【発明を実施するための最良の形態】
【００１３】
以下、本発明の実施の形態について、図面を参照して詳細に説明する。
図１は、本発明の実施の形態に係るコンテンツ表示システムを構成する装置の表示画面例である。本コンテンツ表示装置（端末装置１０−１）はＷｅｂサーバから情報を受信し、コンテンツ表示装置に備えた表示部は、複数のオブジェクト（ＯＢＪ−Ａ，ＯＢＪ−Ｂ等）を表示画面１に表示する（図１（１））。操作者が一つのオブジェクトＯＢＪ−Ａを選択すると、表示部は、そのオブジェクトを強調表示すると共に、複数のサブオブジェクト（ＳＯＢＪ−Ａ，ＳＯＢＪ−Ｂ）等及びボタンオブジェクトＢＯＢＪ−Ａを表示画面２に表示する（図１（２））。そして、操作者が一つのサブオブジェクトＳＯＢＪ−Ｃを選択すると、表示部は、そのサブオブジェクトを強調表示すると共に、サブオブジェクトＳＯＢＪ−Ｃのサブオブジェクトコンテンツを表示画面３に表示する（図１（３））。また、図１（２）の表示画面２において、操作者がボタンオブジェクトＢＯＢＪ−Ａを押下すると、表示部は、オブジェクトＯＢＪ−Ａのオブジェクトコンテンツを表示画面４に表示する（図１（４））。
【００１４】
このようなコンテンツ表示装置によれば、操作者は、オブジェクトとサブオブジェクトとの相関関係を即座に理解することができる。例えば、選択した商品をオブジェクトとし、その商品の評価情報をサブオブジェクトとした場合には、選択した商品とその商品の評価との対応付けを、表示画面上で即座に理解することができる。尚、図１（２）の表示画面２において、操作者がサブオブジェクトＳＯＢＪ−Ｃを選択すると、表示部がボタンサブオブジェクトを表示し、操作者がそのボタンサブオブジェクトのボタンを押下すると、表示部がそのサブオブジェクトコンテンツを表示するようにしてもよい。
【００１５】
次に、本発明の実施の形態に係るコンテンツ表示システムの構成について説明する。図２は、コンテンツ表示システムの構成を説明するための全体図である。本コンテンツ表示システムは、第三者、商品購入予定者、商品購入経験者等のユーザが操作する端末装置１０−１、商品に関するオブジェクトの画像等を作成するコンテンツ作成者が操作する端末装置１０−２、商品管理者（提供者）が操作する端末装置１０−３、及び、オブジェクト、サブオブジェクト、オブジェクトの評価情報、サブオブジェクトの評価情報等を蓄積して管理するＷｅｂサーバ２０を備えている。端末装置１０−１及びＷｅｂサーバ２０は、インターネット１１を介して接続され、端末装置１０−２，１０−３及びＷｅｂサーバ２０は、イントラネット１２を介して接続される。
【００１６】
Ｗｅｂサーバ２０は、ユーザ操作部２１、ＯＢＪ配置位置決定部２２、ＳＯＢＪ配置位置決定部２３、ＳＯＢＪコンテンツ記述部２４、結合部２５、認証部２６、コンテンツ作成部２７、データベース管理部２８、点数計算部２９、特定ＯＢＪ表示部３０、インターネット１１を介して通信を行う通信部３１、イントラネット１２を介して通信を行う通信部３２、ＯＢＪ評価ＤＢ５１、ＳＯＢＪ評価ＤＢ５２、ＯＢＪコンテンツファイル５３、ＳＯＢＪコンテンツファイル５４及び会員点数ＤＢ５５を備えている。各部及び各ＤＢの処理の詳細については後述する。
【００１７】
端末装置１０−１は、図１に示したように、オブジェクト、サブオブジェクト、ボタンオブジェクト及びコンテンツを所定の形態で表示する表示部、及び、第三者が商品の評価点等を表示画面の所定の箇所に入力する入力部を備えている（図示せず）。端末装置１０−２は、図１（１）に示したような初期状態の画面を表示するための各種情報を、コンテンツ作成者が入力するための入力部と表示部（図示せず）を備えている。端末装置１０−３は、商品管理のために有用な情報を表示するための入力部と表示部（図示せず）を備えている。
【００１８】
次に、Ｗｅｂサーバ２０の処理について、図２及び３を参照して、コンテンツの作成（１）、オブジェクトの配置位置の決定（２）、サブオブジェクトの設定（３）、サブオブジェクトの配置位置の決定（４）、オブジェクト等の表示（５）、特定サブオブジェクトの表示（６）、商品管理情報の表示（７）、会員毎の点数の計算（８）、利用者の認証（９）に分けて詳細に説明する。
〔コンテンツの作成（１）〕
まず、コンテンツの作成処理について説明する。コンテンツ作成者は、端末装置１０−２を用いて、オブジェクトの画像、オブジェクトの選択による画面移行規則、表示画面におけるオブジェクトの座標値等の情報を入力すると、端末装置１０−２の入力部は、これらの情報をＷｅｂサーバ２０へ送信する。Ｗｅｂサーバ２０のコンテンツ作成部２７は、通信部３２を介してこれらの情報を入力し、初期画面を作成し、ＯＢＪコンテンツファイル５３に格納する。
【００１９】
〔オブジェクトの配置位置の決定（２）〕
次に、オブジェクトの配置位置の決定処理について説明する。商品購入経験者は、端末装置１０−１の表示画面上でオブジェクトを閲覧し、表示画面上のオブジェクトコンテンツ入力箇所に商品評価点等を入力する。端末装置１０−１の入力部は、その商品評価点等をＷｅｂサーバ２０へ送信する（ステップＳ６）。Ｗｅｂサーバ２０のユーザ操作部２１は、通信部３１を介して商品評価点等を入力し、ＯＢＪ配置位置決定部２２に転送する（ステップＳ８）。ＯＢＪ配置位置決定部２２は、商品評価点等を入力し、ＯＢＪ評価ＤＢ５１に出力する（ステップＳ９）。ＯＢＪ評価ＤＢ５１は、商品評価点等を追加して記録し、既に記録されているその商品の評価点等を含めて商品評価値を算出し、その商品評価値をＯＢＪ配置位置決定部２２へ出力する（ステップＳ１０）。ＯＢＪ配置位置決定部２２は、商品評価値を入力し、商品評価値に基づいてそのオブジェクトについて表示画面上の配置位置（例えば、３次元空間表示画面上の座標値）を決定し、ＯＢＪコンテンツファイル５３の内容を変更する（ステップＳ１１）。例えば、商品評価点が高い場合には、そのオブジェクトが目立つように、表示画面の中央に配置するように位置を決定する。
【００２０】
〔サブオブジェクトの設定（３）〕
次に、サブオブジェクトの設定処理について説明する。商品購入経験者は、端末装置１０−１の表示画面上でオブジェクトコンテンツを閲覧し、表示画面上のオブジェクトコンテンツ入力箇所に商品評価コメントや画像情報等を入力する。端末装置１０−１の入力部は、その商品評価コメント等をＷｅｂサーバ２０へ送信する（ステップＳ６）。Ｗｅｂサーバ２０のユーザ操作部２１は、通信部３１を介して商品評価コメント等を入力し、ＳＯＢＪコンテンツ記述部２４に転送する（ステップＳ７）。ＳＯＢＪコンテンツ記述部２４は、商品評価コメント等を入力し、予め設定された方式に従ってサブオブジェクトとサブオブジェクトコンテンツに分けて（例えば、画像情報をサブオブジェクトに設定し、商品評価コメントをサブオブジェクトコンテンツに設定し）ＳＯＢＪコンテンツファイル５４の内容を変更する。
【００２１】
〔サブオブジェクトの配置位置の決定（４）〕
次に、サブオブジェクトの配置位置の決定処理について説明する。第三者は、端末装置１０−１の表示画面上でサブオブジェクト及びサブオブジェクトコンテンツ（サブオブジェクの画像や評価コメント）を閲覧し、表示画面上のサブオブジェクトコンテンツ入力箇所（評価コメント指摘箇所）に評価点（購入経験者評価点／購入経験者がした評価に対する評価点）等を入力する。端末装置１０−１の入力部は、その評価点等をＷｅｂサーバ２０へ送信する（ステップＳ１７）。Ｗｅｂサーバ２０のユーザ操作部２１は、通信部３１を介して評価点等を入力し、ＳＯＢＪ配置位置決定部２３に転送する（ステップＳ１８）。ＳＯＢＪ配置位置決定部２３は、商品評価点等を入力し、ＳＯＢＪ評価ＤＢ５２に出力する（ステップＳ１９）。ＳＯＢＪ評価ＤＢ５２は、評価点等を追加して記録し、既に記録されているそのサブオブジェクトの評価点等を含めて評価値を算出し、その評価値をＳＯＢＪ配置位置決定部２３へ出力する（ステップＳ２０）。ＳＯＢＪ配置位置決定部２３は、評価値を入力し、評価値に基づいてそのサブオブジェクトについて表示画面上の配置位置（例えば、３次元空間表示画面上の座標値）を決定し、ＳＯＢＪコンテンツファイル５４の内容を変更する（ステップＳ２２）。
【００２２】
〔オブジェクト等の表示（５）〕
次に、オブジェクト等の表示処理について説明する。ＯＢＪコンテンツファイル５３及びＳＯＢＪコンテンツファイル５４は、その内容の情報が更新されると、その度にそのオブジェクト及びサブオブジェクトに関連する情報を結合部２５に出力する（ステップＳ２，１２，１３，２４）。結合部２５は、これらの情報を入力し、例えば図１に示した画面表示を実現するためのコンテンツ形式（例えばＨＴＭＬ等のマークアップ言語により構成された形式）に結合し、通信部３１を介して端末装置１０−１へ送信する（ステップＳ３，１４，２５）。また、端末装置１０−１からの画面表示要求に従って、結合部２５は、ＯＢＪコンテンツファイル５３及びＳＯＢＪコンテンツファイル５４から必要な情報を入力し、所定のコンテンツ形式の情報に結合して、通信部３１を介して端末装置１０−１へ送信する。
【００２３】
〔特定サブオブジェクトの表示（６）〕
次に、特定サブオブジェクトの表示処理について説明する。第三者等は、端末装置１０−１を用いて、自らが入力した内容を表示させる操作を行うと、端末装置１０−１の入力部は、その表示要求をＷｅｂサーバ２０へ送信する。Ｗｅｂサーバ２０の特定ＯＢＪ表示部３０は、通信部３１を介して表示要求を入力する。特定ＯＢＪ表示部３０は、ＳＯＢＪコンテンツファイル５４に対して当該操作者の入力操作により変更された情報を検索し、検索結果を入力して通信部３１を介して端末装置１０−１へ送信する。端末装置１０−１は、検索結果を受信し、商品購入履歴データベースとして表示する。この場合、ＳＯＢＪコンテンツファイル５４は、前述したサブオブジェクトの設定（３）及びサブオブジェクトの配置位置の決定（４）の処理において、変更された情報及びその日時と端末装置１０−１の操作者との対応情報が格納されているものとする。
【００２４】
〔商品管理情報の表示（７）〕
次に、商品管理情報の表示処理について説明する。商品管理者は、端末装置１０−３を用いて、商品管理のために有用な情報を表示させる操作を行うと、端末装置１０−３の入力部は、その表示要求をＷｅｂサーバ２０へ送信する。Ｗｅｂサーバ２０のデータベース管理部２８は、通信部３２を介して表示要求を入力し、表示要求に基づいてＯＢＪ評価ＤＢ５１、ＳＯＢＪ評価ＤＢ５２及びＳＯＢＪコンテンツファイル５４から必要な情報をフィルタリング（検索、抽出等）する。データベース管理部２８は、フィルタリングした情報を通信部３２を介して端末装置１０−３へ送信する。端末装置１０−３は、その情報を受信し、商品管理のための有用な情報として表示する。
【００２５】
〔会員毎の点数の計算（８）〕
次に、会員毎の点数の計算処理について説明する。ユーザ操作部２１が、端末装置１０−１から通信部３１を介して商品評価点、購入経験者評価点、商品評価コメント等を入力すると、点数計算部２９は、端末装置１０−１において第三者等が入力操作を行った表示画面、及び商品評価点等の内容に応じて点数を計算する。例えば、点数計算部２９は、商品管理者により端末装置１０−３を用いて入力された点数計算ルールが予め設定されており、その点数計算ルールに基づいて、評価点や商品評価コメントの内容等に応じて点数を計算する。そして、点数計算部２９は、端末装置１０−１の操作者毎に集計されている会員点数ＤＢ５５に、計算した点数をクレジットポイントとして蓄積する。このように蓄積された点数は、第三者や商品購入経験者が商品を購入する際の割引クレジットとして用いることができる。また、第三者や商品購入経験者は、端末装置１０−１を用いて会員点数ＤＢ５５の情報を表示させることにより、前述のクレジットポイントの点数を蓄積させることをインセンティブとすることができる。
【００２６】
〔利用者の認証（９）〕
次に、利用者の認証処理について説明する。前述したオブジェクトの配置位置の決定（２）、サブオブジェクトの設定（３）、サブオブジェクトの配置位置の決定（４）、オブジェクト等の表示（５）及び特定サブオブジェクトの表示（６）において、Ｗｅｂサーバ２０の通信部３１が端末装置１０−１から商品評価点や表示要求等を受信した場合に、認証部２６は、操作者の認証を行う。認証部２６は、操作者を認証できたときは前述の処理を行うと共に、その旨を通信部３１を介して端末装置１０−１へ送信し、操作者を認証できなかったときはその旨を同様に端末装置１０−１へ送信する（ステップＳ４，５，１５，１６）。
【００２７】
このようなＷｅｂサーバ２０の各処理により、図４に示すように、商品管理者は、端末装置１０−３においてＯＢＪ評価ＤＢ５１等から管理情報を取得し、端末装置１０−１において前記管理情報を参照して商品評価点を入力することにより、その商品評価点に基づいてオブジェクト（商品）の表示位置が決定される。また、商品購入経験者や第三者は、端末装置１０−１において評価点等を入力することにより、クレジットポイントとして点数を会員点数ＤＢ５５に蓄積することができ、その評価点等に基づいてオブジェクト（商品）の表示位置や、サブオブジェクト（意見）の表示位置が決定される。
【００２８】
以上、実施の形態を挙げて本発明を説明したが、上記の説明は、本発明の理解を助けるものであって、本発明の特許請求の範囲を制限するものではない。従って、本発明の要旨を逸脱しない限り、種々変形が可能であり、本発明の目的を達し、効果を奏する範囲において、適宜変更することが可能である。
【００２９】
尚、上記端末装置１０−１〜１０−３及びＷｅｂサーバ２０は、ＣＰＵ、ＲＡＭ等の揮発性の記憶媒体、ＲＯＭ等の不揮発性の記憶媒体、キーボードやポインティングデバイス等の入力装置、画像やデータを表示するモニタ装置、及び外部の装置と通信をするためのインタフェースを備えたコンピュータによってそれぞれ構成されるようにしてもよい。この場合、端末装置１０−１〜１０−３に備えた入力部及び表示部、Ｗｅｂサーバ２０に備えたユーザ操作部２１、ＯＢＪ配置位置決定部２２等の各機能は、当該機能を記述したプログラムをＣＰＵに実行させることによりそれぞれ実現される。また、これらのプログラムは、磁気ディスク（フロッピィーディスク、ハードディスク等）、光ディスク（ＣＤ−ＲＯＭ、ＤＶＤ等）、半導体メモリ等の記憶媒体に格納して頒布することもできる。
【実施例】
【００３０】
次に、本発明のコンテンツ表示システムについて、実施例を挙げて具体的に説明する。以下の実施例は、旅行予定者（第三者）に対して旅行に関する有効な情報を発信するＷｅｂサイトをＷｅｂサーバに構築し、そのＷｅｂサーバ（Ｗｅｂサイト）に対して、旅行情報業者（商品管理者）が取材した情報や旅行経験者（商品購入経験者）が入手した情報を掲載する例である。
【００３１】
旅行予定者は、その旅行情報によって旅行した後、その掲載情報に対して評価を与えることができ、また、旅行予定者自ら情報をその商品の関連情報としてＷｅｂサイトに対して登録し、旅行経験者として他の旅行予定者に対して旅行情報や本商品の主観的感想などを提供する。旅行経験者の登録情報も旅行情報業者が掲載した情報としてＷｅｂサイトに掲載され、他の旅行予定者は、旅行情報業者が取材した情報と旅行経験者が登録した情報の双方を見て旅行の計画を立てることができる。また、旅行経験者は現在までに登録した情報を動的に個人用サイトで個人の旅行履歴として閲覧することができ、旅行記代わりにも利用することができる。このことを旅行経験者が旅行情報の登録を行うことに対するインセンティブとする。旅行情報業者は、旅行経験者の情報を元に自ら取材した情報の更新管理が可能となることをインセンティブとし、継続的にＷｅｂサイトの有するコンテンツの情報量と品質の向上を図ることにより、本Ｗｅｂサイトの存在意義を高めていく。また、第三者にインセンティブを与え、旅行経験者の情報の正当性を監視し、Webサイトの信頼性も同時に高めていくものである。
【００３２】
以上により、例えば、インターネット上の膨大な商品購入のショッピングサイトの中において、商品購入予定者、商品購入経験者及び商品管理者（提供者）が、それぞれのインセンティブを得ながらＷｅｂサイトの信頼性を高めることができるだけでなく、商品管理にも役立てることができる。特に、前述の実施例の場合、購入経験情報登録をテンプレート化し、個人の商品購入経験者に登録を促すことによって、自ら保有しているサービスの情報の更新管理にかかる取材・情報収集の稼動及び閲覧サイトの更新にかかる作業稼動を大幅に軽減できる。
【図面の簡単な説明】
【００３３】
【図１】本発明の実施の形態に係るコンテンツ表示システムを構成する装置の表示画面例である。
【図２】本発明の実施の形態に係るコンテンツ表示システムの構成を示す図である。
【図３】図２のコンテンツ表示システムにおける動作を説明するためのフロー図である。
【図４】図２のコンテンツ表示システムにおける動作の概略を説明するための図である。
【符号の説明】
【００３４】
１〜６  表示画面
１０，１０−１〜１０−３  端末装置
１１  インターネット
１２  イントラネット
２０  Ｗｅｂサーバ
２１  ユーザ操作部
２２  ＯＢＪ配置位置決定部
２３  ＳＯＢＪ配置位置決定部
２４  ＳＯＢＪコンテンツ記述部
２５  結合部
２６  認証部
２７  コンテンツ作成部
２８  データベース管理部
２９  点数計算部
３０  特定ＯＢＪ表示部
３１，３２  通信部
５１  ＯＢＪ評価ＤＢ
５２  ＳＯＢＪ評価ＤＢ
５３  ＯＢＪコンテンツファイル
５４  ＳＯＢＪコンテンツファイル
５５  会員点数ＤＢ
【図１】
2005339253.tif 000003
【図２】
2005339253.tif 000004
【図３】
2005339253.tif 000005
【図４】
2005339253.tif 000006